(57)【要約】【課題】  シックハウス症候群対策のために、天然素材を用いて和紙に効果を付加させつつ、その効果の長期化が期待できる健康及び衛生面を考慮した和紙を提供する。【解決手段】  天然の多孔質鉱石である麦飯石粉末１７と天然素材であるプロポリス原塊粉末１８の必ず両者を和紙１６の表面及び内部へ分散させることによって、それらの持つ性質により和紙に吸着、調湿、大気浄化、消臭、抗菌、殺菌、防腐効果を持たすことができる。また、これらの効果の長期化も期待できるようになる。【選択図】図１
2008274506.tif 000002
【特許請求の範囲】
【請求項１】
天然の多孔質鉱石である麦飯石と天然素材であるプロポリス原塊の必ず両者を、混紙材として用いて、それを和紙の表面及び内部へ分散させることによって和紙本来が保有している吸着、調湿効果を向上させつつ大気浄化、消臭、抗菌、殺菌、防腐効果を付加させたこと特徴とする和紙。
【請求項２】
混紙材の麦飯石とプロポリス原塊が粉末であることを特徴とする請求項１記載の和紙。
【請求項３】
プロポリス原塊粉末粒径は麦飯石粉末の粒径以上であることを特徴とする請求項１〜請求項２記載の和紙。
【請求項４】
叩解工程にてビーターに和紙の原材料と水を入れて叩解した後に、紙用糊と混紙材を加えて攪拌させて調整した溶液から抄造することを特徴とする請求項１〜請求項３記載の和紙。
【請求項５】
混紙材の割合は、和紙の原材料に対して麦飯石粉末が０．１〜１０％重量、プロポリス原塊粉末が０．１〜５％重量であることを特徴とする請求項１〜請求項４記載の和紙。
【発明の詳細な説明】
【技術分野】
【０００１】  本発明は、壁紙、障子、インテリア用品等に用いられる和紙に、麦飯石粉末とプロポリス原塊粉末を分散させることによって健康及び衛生面を考慮した和紙に関する。
【背景技術】
【０００２】  近年、一般住宅やオフィスビル等の建築物は省エネルギー効果対策が進み、気密性や断熱性を高めている。その結果、不完全な換気で室内に湿気が留まり、結露が生じるために建築物が腐食しやすくなる。また、ダニやカビが発生しやすい環境にあるため、それらの死骸がハウスダストとなり室内に漂い人体の健康に悪影響を及ぼす原因となる。そこで、建築材料には防腐剤や防カビ剤等が使用されている。【０００３】  しかしながら、建築材料に防腐剤や防カビ剤等を使用することにより、それらに含有されているホルムアルデヒド、トルエン、キシレン、アセトアルデヒド等の有害な揮発性有機化合物（以下、有害化学物質という）が室内の大気中に放散され、頭痛等の自立神経障害やうつ状態等の精神障害、呼吸困難等の呼吸器障害、発疹等の皮膚障害等といった様々な症状が現れるシックハウス症候群が大きな社会問題となっている。【０００４】  シックハウス症候群対策には、室内の有害化学物質の濃度を低減させることが有効であるため、最近では建築物に有害化学物質の含有量が少ない建築材料が使用されるようになった。【０００５】  けれども、有害化学物質は建築材料のみからではなく、室内の家具やカーテン、芳香剤、防虫剤等の多種多様な化学製品から大気中に放散されるているのが現状である。【０００６】  そこで、多孔質物質である炭化物を用いて室内の有害化学物質を吸着させて大気中への再放散を防ぐ方法が取られている。例えば、特許文献１では活性炭を熱融着粉体及び熱融着繊維を介して内部に固定させたシートや、特許文献２では内装紙の裏面に炭化物を積層させた壁紙に関する技術が提案されている。
【特許文献１】  特開２００４−３１３８６０号公報
【特許文献２】  特開２００５−０６０８６７号公報
【発明の開示】
【発明が解決しようとする課題】
【０００７】  しかしながら、有害化学物質の吸着材料として炭化物を用いても、炭化物自体が吸着物質の分解作用という特性を保有していないので、すぐに炭化物の孔が飽和状態になり目詰まりをしてしまうため、その効果を長く続かせることが難しい。【０００８】  本発明の目的は、シックハウス症候群対策を行うためのものであり、上述の課題を鑑みて、混紙材が天然のものでありつつ効果の長期化が期待できる素材を選定して、これらを和紙の表面のみならず内部にまで分散させることにより、和紙本来の持つ効果を向上させ、さらに新たな効果も付加させて健康及び衛生面を考慮した和紙を提供することにある。
【課題を解決するための手段】
【０００９】  天然の多孔質鉱石である麦飯石と天然素材であるプロポリス原塊の必ず両者を、和紙への混入材料（以下、混紙材という）として用いて、それを和紙の表面及び内部へ分散させることによって和紙本来が保有している吸着、調湿効果を向上させつつ大気浄化、消臭、抗菌、殺菌、防腐効果を付加させたことを特徴とする。【００１０】  さらに、混紙材である麦飯石とプロポリス原塊が粉末で、プロポリス原塊粉末の粒径は麦飯石粉末の粒径以上であることを特徴とする。【００１１】  また、混紙材を和紙の表面及び内部へ分散させるため、叩解工程にてビーターに和紙の原材料と水を入れて叩解した後に、紙用糊と混紙材を加えて攪拌させて調整した溶液（以下、混紙溶液）から抄造することを特徴とする。尚、混紙溶液中における混紙材の割合は、和紙の原材料に対して麦飯石粉末が０．１〜１０％重量、プロポリス原塊粉末が０．１〜５％重量であることが好ましい。
【発明の効果】
【００１２】  本発明によれば、麦飯石粉末とプロポリス粉末を和紙の表面及び内部に容易に分散させることができ、それらの性質により室内に放散されている有害化学物質を吸着・分解して再放散を防止する大気浄化効果、臭いを吸着・分解する消臭効果、埃を吸収する吸着効果、湿気を吸放出し湿度を一定に保つ調湿効果、バクテリア、大腸菌等を吸着・分解する抗菌効果、殺菌効果、防腐効果を望める。加えて、これらの効果の長期化も望めるようになる。【００１３】  また、本発明の和紙自体が天然の材料から抄造されており自らが有害化学物質を含有していないので、室内の壁紙や障子、インテリア用品等に用いるのにも適しているし、廃棄の際に燃やしたとしても環境を汚すことはない。
【発明を実施するための最良の形態】
【００１４】  以下、本発明の実施の形態を図面に基づき詳細に説明する。【００１５】  図１〜図２は本発明の実施の形態に係り、図１はその横断面図、図２は製造工程のフローチャートである。【００１６】  和紙１６には湿度の高い時に湿気を吸収し、また低い時には蓄えていた湿気を放出する調湿効果、埃を吸収する吸着効果があり、それ自体がコウゾ、三椏、ケナフ等の天然素材を原材料としているため壁紙、障子、インテリア用品等に和紙を用いることはシックハウス症候群対策において有効である。【００１７】  また、天然の鉱石である麦飯石１７は、多孔質のため表面積が非常に広く、いくら小さく砕いても多孔性を持ち続けるという性質がある。麦飯石１ｇの孔の総表面積は数百ｍ２にもなり、同じような構造の同質量の活性炭に比べて約２万倍にもなるため吸着能力が非常に強い。また、大きく活性炭と異なる点は、単に物を吸着するだけではなく、有害化学物質、化学合成物、バクテリア、カドニウム、シアン、大腸菌、水銀、塩素、アンモニア等の分解・除去能力も保有していることが明らかになっている。このため、麦飯石の孔は飽和状態になり難いので、麦飯石１７の吸着能力の低下は緩やかである。以上の性質により、麦飯石１７には室内に放散されている有害化学物質を吸着・分解して再放散を防止する大気浄化効果、室内の臭いを吸着・分解する消臭効果、バクテリア、大腸菌等を吸着・分解する抗菌効果、湿気を吸放出し湿度を一定に保つ調湿効果が期待できる。また、これらの効果の長期化も期待することができる。【００１８】  一方で、プロポリス原塊１８は、ミツバチが自然界の様々な樹木から集めた樹脂等を自らの内分泌液である唾液とともに噛み砕いて作られたものであり、フラボノイドを主成分として含有しているためにバクテリア等の殺菌や抗菌、防腐効果を保有している天然素材である。【００１９】  上述の麦飯石１７とプロポリス原塊１８の必ず両方を和紙１６への混紙材にすることによって、それぞれ３者の効果を充分に発揮しながら、その相乗効果により和紙に吸着、調湿、大気浄化、抗菌、殺菌、防腐効果を保持させることができる。例えば、和紙に麦飯石を分散させることによって、和紙本来の持つ吸着、調湿効果が向上するし、麦飯石とプロポリス原塊の両者を混紙材として用いることにより抗菌効果を向上させることができる。【００２０】  従来の和紙の製造工程は、和紙の原材料を煮沸することによって繊維質にし易くする煮熟工程、ビーターにて煮熟された原材料と水を入れて叩解する叩解工程、抄紙機にかけて紙を漉く抄紙工程、ポンプによって厚さ調整をする圧縮工程、プレスして水分調整を行い乾燥させる乾燥工程の順番にて行われる。【００２１】  本発明の和紙は、図２に示すように叩解工程にてビーターに和紙の原材料と水を入れて叩解した後に、紙用糊と混紙材を加えて攪拌させて調整した混紙溶液を生成する工程（以下、混紙溶液生成工程という）を従来の和紙の製造工程に加える。この工程で生成された混紙溶液をタンクに溜めて抄紙機にかけることにより図１に示すような表面及び内部にまで混紙材を分散させた和紙を抄造することが非常に容易になる。【００２２】  尚、混紙溶液生成工程での混紙材である麦飯石１７とプロポリス原塊１８は粉末でなければならない。混紙材を粉末にすることによって混紙溶液中に容易に分散させることができるし、紙用糊をバインダーとさせることができるので混紙溶液中での沈殿の防止にもなる。また、この時に注意すべきことは、多孔質である麦飯石粉末の孔の中にプロポリス原塊粉末が入り込むことにより目詰まりをすることを防止するため、プロポリス原塊粉末の粒径は麦飯石粉末の粒径以上でなければならない。加えて、混紙溶液中における混紙材の割合は、和紙の原材料に対して麦飯石粉末が０．１〜１０％重量、プロポリス原塊粉末が０．１〜５％重量であることが好ましい。混紙材の割合をこれ以上増やしてしまうと和紙の風合を損なうばかりか、抄造することさえも困難になってしまう。
【図面の簡単な説明】
【００２３】
【図１】  本発明の実施の形態を示す和紙の横断面図
【図２】  図１における和紙の製造工程のフローチャート
【符号の説明】
【００２４】  １６  和紙
１７  麦飯石
１８  プロポリス原塊
【図１】
2008274506.tif 000003
【図２】
2008274506.tif 000004